(57)【要約】【課題】無線機の同一面上に配置される複数の基板間の干渉を防ぐための仕切り部を有するシャーシを使用した場合、基板間を接続するために、複数の高周波同軸コネクタ及び信号線用ケーブルとが必要となり部品代が増加するという欠点がある。更に、基板枚数が増加する事から、基板製作費用及び組立工数費用が増加するという欠点がある。これらの欠点を除去することを目的とする。【解決手段】無線機の同一面上にある複数の基板を別基板構造とするのではなく、両基板間を接続する高周波ケーブルや信号線ケーブルを配線するシャーシの隙間部を利用し、直接基板で配線接続するよう基板を変更し１枚基板化として実装する。【選択図】　　　図１
2004140742.tif 000002
【特許請求の範囲】
【請求項１】
無線機の同一面上に相互接続が必要な複数の基板を配置し、それぞれの基板間の干渉を防ぐための仕切り部を持つ基板取付け用シャーシを有する無線機において、前述の仕切り部を持たせたシャーシを使用しつつ、同一面上に相互接続が必要な複数の基板を１枚基板とする構造を持つ事を特徴とする無線機。
【請求項２】
請求項１記載の無線機において、複数の基板が、送信電力増幅器を有する基板と、無線機部基板である事を特徴とする無線機。
【請求項３】
請求項１記載の無線機において、複数の基板が、無線制御部基板と、電源部基板である事を特徴とする無線機。
【請求項４】
請求項１、請求項２、請求項３の無線機において、デジタル無線機である事を特徴とする無線機。
【発明の詳細な説明】
【０００１】
【発明の属する技術分野】
本発明は無線機の改良に関するものである。
【０００２】
【従来の技術】
従来の無線機の一例として図３の無線機について説明する。１は無線機の同一面上にある複数の基板間の干渉を防ぐための仕切り部を有する。基板取付用及び放熱用のシャーシで、２は送信電力増幅部及び送受信回路切替部基板、３は無線部基板、４は高周波同軸コネクタ、５は信号線用コネクタ、６は送信電力増幅部及び送受信回路切替部基板２と無線部基板３間の高周波信号を接続するための高周波ケーブル、７は送信電力増幅部及び送受信回路切替部基板２と無線部基板３間の信号を接続するための信号線ケーブル、８は送信電力増幅部及び送受信回路切替部基板２から発生するノイズが空間上で他基板及び回路に影響を与えないように前述ノイズを低減させるためのシールドケースである。
【０００３】
本無線機を組み立てる際、まず基板間の干渉を防ぐための仕切り部を有する基板取付用及び放熱用のシャーシ１に、送信電力増幅部及び送受信回路切替部基板２及び無線部基板３を取り付け、その次に送信電力増幅部及び送受信回路切替部基板２と無線部基板３間の高周波信号を接続するための高周波ケーブル６と、送信電力増幅部及び送受信回路切替部基板２と無線部基板３間の信号線を接続するための信号線ケーブル７とを取り付ける。その次に送信電力増幅部及び送受信回路切替基板２から発生し、空間上で輻射されるノイズを抑制させるために、シールドケース８を送信電力増幅部及び送受信回路切替部基板２上に配置するように取り付ける。
【０００４】
ここで送信電力増幅部及び送受信回路切替部基板２から発生し、基板上に輻射されるノイズに対しても抑制するために、送信電力増幅部及び送受信回路切替部基板２及び無線部基板３は別々の個別基板構造とする必要があるため、前述両基板に高周波同軸コネクタ４及び信号線用コネクタ５を設置し、両基板（送信電力増幅部及び送受信回路切替部基板２と無線部基板３）間を高周波ケーブル６と信号線ケーブル７で接続させる必要があった。
【０００５】
また異なる従来の一例として図４の無線機について説明する。１は無線機の同一面上にある複数の基板間の干渉を防ぐための仕切り部を有する基板取付用及び放熱用のシャーシ、１１は電源用基板、１２は無線機制御部基板、５は信号線用コネクタ、７は電源用基板１１と無線制御部基板１２間の信号を接続するための信号線ケーブルである。
【０００６】
本無線機を組み立てる際、まず基板間の干渉を防ぐための仕切り部を有する基板取付用及び放熱用のシャーシ１に、電源用基板１１及び無線制御部用基板１２を取り付け、その次に電源用基板１１及び無線制御部用基板１２間の信号線を接続するための信号線ケーブル７を取り付ける。
【０００７】
ここで電源用基板１１及び無線制御部基板１２から発生し、基板上に輻射されるノイズに対して抑制するために、電源用基板１１及び無線制御部用基板１２は別々の個別基板構造とする必要があるため、両基板（電源用基板１１と無線制御部用基板１２）に信号線用コネクタ５を設置し、前述両基板間を信号線ケーブル７で接続させる必要があった。
【０００８】
【発明が解決しようとする課題】
以上のように、従来の無線機では、無線機の同一面上に配置される複数の基板間の干渉を防ぐための仕切り部を有する基板取付及び放熱用シャーシを使用し、前述無線機の同一面上に配置される複数の基板間を接続するために、複数の高周波同軸コネクタ及び信号線用ケーブルが必要となることで部品代が増加する欠点がある。更に基板枚数が増加する事から、基板製作費用及び組立工数費用が増加する欠点がある。
【０００９】
そこで本発明では、部品代、基板制作費、組立工数の増加を防ぐために、無線機の同一面上に配置される複数の基板間の干渉を防ぐための仕切り部を有する基板取付及び放熱用シャーシを使用しつつ、無線機の同一面上にある複数の基板を別基板構造とするのではなく、１枚基板化として実装する事を目的とする。
【００１０】
【課題を解決するための手段】
本発明は上記の目的を達成するために、両基板間を接続する高周波ケーブルと信号線ケーブルを配線するシャーシの隙間部を利用し、直接基板で配線接続するよう基板を変更できるようにしたものである。
【００１１】
【発明の実施の形態】
本発明の一実施例である無線機について図１を参照して説明する。１は無線機の同一面上に配置される複数の基板間の干渉を防ぐための仕切り部を有する基板取付用及び放熱用のシャーシ、９は送信電力増幅部、送受信回路切替部及び無線部を取り込んだ１枚基板、１０は送信電力増幅部から発生するノイズが空間上で他回路に影響を与えないように、無線機の同一面上に配置される複数の基板間の干渉を防ぐための仕切り部を持つシャーシ１の送信電力増幅部上を覆い、更に送信電力増幅部と無線部間を基板上で結ぶシャーシの隙間部を覆うシールドケースである。
【００１２】
本無線機を組み立てる際、まず送信電力増幅部、送受信回路切替部及び無線部を取り込んだ１枚基板９を送信電力増幅部、送受信回路切替部及び無線部間の干渉を防ぐための仕切り部を有する基板取付用及び放熱用のシャーシ１に取り付ける。次に、送信電力増幅部から発生して空間上で輻射されるノイズを抑制させるために、シールドケース１０を基板取付用及び放熱用のシャーシ１で仕切られる送信電力回路上に取り付ける。
【００１３】
【発明の効果】
以上のように、本発明によれば、無線機の同一面上に配置される複数の基板間の干渉を防ぐための仕切り部を有するシャーシを使用しつつ、無線機の同一平面上にケーブルで相互接続される複数の基板を１枚基板化する事により、部品コスト及び製造コストの低減を大幅に改善できる。
【図面の簡単な説明】
【図１】本発明の一実施例である無線機の構造を示す斜視図。
【図２】本発明の一実施例である無線機の構造を示す斜視図。
【図３】従来の一例である無線機の構造を示す斜視図。
【図４】従来の一例である無線機の構造を示す斜視図。
【符号の説明】
１：複数の基板間の干渉を防ぐための仕切り部を有する基板取付用及び放熱用のシャーシ
２：送信電力増幅部及び送受信回路切替部基板
３：無線部基板
４：高周波同軸コネクタ
５：信号線用コネクタ
６：基板間の高周波信号を接続するための高周波ケーブル
７：基板間の信号を接続するための信号線ケーブル
８：シールドケース
９：送信電力増幅部、送受信回路切替部及び無線部の１枚化基板
１０：シールドケース
１１：電源用基板
１２：無線制御用基板
１３：電源部と無線制御部の１枚基板
【図１】
2004140742.tif 000003
【図２】
2004140742.tif 000004
【図３】
2004140742.tif 000005
【図４】
2004140742.tif 000006